(57)【要約】【課題】  簡易な操作で収納でき、しかも引き出しが可能なラックのサーバマウント構造を提供する。【解決手段】  ラック内の左右に、サーバ１を保持するために一対のサーバ保持バー３，３を対向配置し、このサーバ保持バー３にサーバ１の前後移動を案内する案内溝７を設けると共に、前方へスライドさせたサーバ１を保持するために引き出して使用するスライドバー４を収納し、サーバ１の左右側部には案内溝７に係合してサーバを保持させるための保持ピン５を設けた。案内溝７はサーバ保持バー３の先端部から開口形成されて前方からスライドさせた保持ピン５を収容可能であって、ラック前方からスライド操作されたサーバ１を一対のサーバ保持バー３，３の間に収容して保持させた。【選択図】  図１
2009289173.tif 000002
【特許請求の範囲】
【請求項１】
ラック内の左右に、サーバを保持するために略水平に対向配置した一対のサーバ保持バーを備え、前記サーバ保持バーは、サーバを保持すると共にサーバの前後移動を案内するために前後方向に延設された案内溝を有すると共に、前方にスライドさせたサーバを載置するために引き出して使用するスライドバーを収納する一方、サーバは左右側部に前記案内溝に係合してサーバを保持させるために突出させた係合手段を有し、
前記案内溝は前記サーバ保持バーの先端部から開口形成されて前方からスライドさせた前記係合手段を収容可能であって、ラック前方からスライド操作されたサーバを一対の前記サーバ保持バーの間に収容して保持することを特徴とするラックのサーバマウント構造。
【請求項２】
前記スライドバーは、前記サーバ保持バーから引き出した状態でも略水平な状態を維持すると共に、引き出した際に前記係合手段を落とし込ませて係合させる係合凹部を有し、
前記サーバ保持バーに保持されたサーバを前方にスライドする際は、前記スライドバーを合わせて引き出して前記係合凹部に前記係合手段を係合させることで、スライドさせたサーバの保持を可能とする請求項１記載のラックのサーバマウント構造。
【発明の詳細な説明】
【技術分野】
【０００１】
本発明はラックのサーバマウント構造に関し、詳しくはサーバを引き出し可能に収納するラックのサーバマウント構造に関する。
【背景技術】
【０００２】
コンピュータや携帯端末等の通信機器により通信を行う際に利用されるサーバをラックに収納する場合、メンテナンスを容易にするために通常は引出可能に収納される。従来のこのような引出可能としたラックのサーバマウント構造は、引出可能な載置台をラック内に取り付け、この載置台にサーバを載せることで可能としていた。例えば、特許文献１では、ラック内に左右一対のスライドレールを取り付け、そのスライドレールに載置台の左右側部を連結して引出可能とし、収納したサーバの引出操作を可能としていた。
【特許文献１】特開２０００−３２３８７３号公報
【発明の開示】
【発明が解決しようとする課題】
【０００３】
ところが、近年サーバの小型化に伴い、載置台を使用せずに直接スライドレールにサーバを取り付けて収納する構成としたものがある。この場合、載置台が必要ないためコストダウンを図ることはできるが、サーバは載置台とは異なり重量物であるし、電子機器であるため衝撃を加えることができない。よって、左右のスライドレールに連結する作業は厄介であり作業者１人で行うのは難しく作業者の負担となっていた。
そこで、本発明はこのような問題点に鑑み、載置台を使用せず簡易な操作で収納でき、しかも引き出しが可能なラックのサーバマウント構造を提供することを目的とする。
【課題を解決するための手段】
【０００４】
上記課題を解決する為に、請求項１の発明は、ラック内の左右に、サーバを保持するために略水平に対向配置した一対のサーバ保持バーを備え、前記サーバ保持バーは、サーバを保持すると共にサーバの前後移動を案内するために前後方向に延設された案内溝を有すると共に、前方にスライドさせたサーバを載置するために引き出して使用するスライドバーを収納する一方、サーバは左右側部に前記案内溝に係合してサーバを保持させるために突出させた係合手段を有し、前記案内溝は前記サーバ保持バーの先端部から開口形成されて前方からスライドさせた前記係合手段を収容可能であって、ラック前方からスライド操作されたサーバを一対の前記サーバ保持バーの間に収容して保持することを特徴とする。
この構成によれば、サーバ左右に設けられた係合手段を案内溝に係合させることでサーバはラックに収納できる。そして、サーバの収納操作は、前方からラック収納部にスライド操作するだけで収納することができる。よって、スライドバーにサーバを連結するねじ止め等の作業を必要とせず簡易な操作で収納することができる。また、サーバを前方へスライドした際は引き出したスライドバーに載置させることで保持させることができ、メンテナンスもし易い。
【０００５】
請求項２の発明は、請求項１に記載の発明において、前記スライドバーは、前記サーバ保持バーから引き出した状態でも略水平な状態を維持すると共に、引き出した際に前記係合手段を落とし込ませて係合させる係合凹部を有し、前記サーバ保持バーに保持されたサーバを前方にスライドする際は、前記スライドバーを合わせて引き出して前記係合凹部に前記係合手段を係合させることで、スライドさせたサーバの保持を可能とすることを特徴とする。
この構成によれば、前方へスライドさせたサーバの係合手段が、合わせて引き出したスライドバーの凹部に係合するので、引き出した状態を維持できる。そして、引き出したスライドバーは水平状態を維持するので、サーバを水平な状態で保持し、メンテナンス等の作業がし易い。
【発明の効果】
【０００６】
本発明によれば、サーバ左右に設けられた係合手段を案内溝に係合させることでサーバはラックに収納できる。そして、サーバの収納操作は、前方からラック収納部にスライド操作するだけで収納することができる。よって、スライドバーにサーバを連結するねじ止め等の作業を必要とせず簡易な操作で収納することができる。また、サーバを前方へスライドした際は引き出したスライドバーに載置させることで保持させることができ、メンテナンスもし易い。
【発明を実施するための最良の形態】
【０００７】
以下、本発明を具体化した実施の形態を、図面に基づいて詳細に説明する。図１〜図５は本発明に係るラックのサーバマウント構造の一例を示す斜視図であり、図１はサーバを途中まで引き出した状態、図２はサーバを完全に引き出して、サーバの後方を僅かに持ち上げた状態、図３はサーバを完全に収納した状態、図４は図１のＡ部拡大図、図５は図１もＢ部拡大図を示している。
【０００８】
各図において、１はサーバ、２はラックの４隅に設けられたアングル枠から成るラックの支柱、３はサーバ１を保持するために対向配置された一対のサーバ保持バー、４は前方にスライドさせたサーバ１を保持するために引き出して使用するスライドバーである。そして、５はサーバ１の左右側面に１対づつ設けられてサーバ保持バー３に係合する係合手段としての保持ピン、６は収納したサーバ１をラックに固定する固定手段としてのローレットビスである。尚、支柱２はサーバ保持バー３を設けた一部のみ示し、垂直に立設された支柱２に対して、サーバ保持バー３は前後方向に水平に取り付けられている。
【０００９】
サーバ保持バー３は、図５に示すように矩形に折り曲げて筒状に形成された保持バー本体３ａと、保持バー本体３ａの後部に連結された調節部材３ｂとで構成されている。調節部材３ｂには、保持バー本体３ａとの重なり量を変えて連結するための長孔１２が設けられ、調節部材３ｂの後方への突出量を任意に変更可能とし、双方は長孔１２を介してボルト９ａ及びナット９ｂから成る連結手段で連結されている。
そして、スライドバー４は、この保持バー本体３ａと調節部材３ｂとで形成される内部空間に収納されている。
【００１０】
図６はサーバ保持バー３の斜視図を示し、具体的には図３のサーバ収納状態の右側のサーバ保持バー３を示している。この図６及び図４に示すように、保持バー本体３ａの先端には前側の支柱２に連結するための突起１０ａを備えた連結片１０が形成され、支柱２に形成されている透孔２ａを利用して容易に連結できるよう構成されている。
また、図５及び図６に示すように、サーバ保持バー３の後端部である調節部材３ｂの端部には後側の支柱２に連結するための突起１１ａを備えた連結片１１が設けられ、保持バー本体３ａに設けられた連結片１０と同様に、支柱２に形成されている透孔２ａを利用して容易に連結できるよう構成されている。
【００１１】
図７は、サーバ保持バー３の側面図であり、（ａ）はスライドバー４を引き出した状態、（ｂ）はスライドバー４を収納した状態を示し、図１の右側のサーバ保持バー３を左側から見た側面図である。この図７に示すように、保持バー本体３ａは、サーバ１を保持する（正確にはサーバ１の保持ピン５を保持する）と共に、前後動を案内するためにスリット状の案内溝７が長手方向に、即ちラックに組み付けた状態で前後方向に切り欠き形成されている。そして、保持バー本体３ａの前面は、案内溝７の端部を拡開して形成された挿入案内部８が形成されている。
尚、図７（ｂ）に示す保持ピン５は、サーバ１を収納した図３の状態を説明するために記載したもので、このように案内溝７に保持ピン５が係合してサーバ１は保持される。
【００１２】
図８はスライドバー４の斜視図を示し、詳しくは図１の右側のサーバ保持バー３に収納されているスライドバー４の斜視図を示している。この図８に示すように、スライドバー４は前方へ向けて棒状に延設した保持棒４ａと後部に形成した箱状の摺動枠体４ｂとで形成され、摺動枠体４ｂは保持バー本体３ａ及び調節部材３ｂで形成された内部空間をスムーズに摺動すると共に、スライドバー４の姿勢が安定するように内部空間の形状に合わせて断面コ字状に折り曲げて形成されている。そして保持棒４ａは、上部に保持ピン５を落とし込んで保持する凹部１４が、保持ピン５の位置に合わせて先端部と略中央部の２ヶ所に形成されている。
【００１３】
図９は、サーバ１を収納した上記図３の状態のサーバ保持バー３の断面説明図を示している。この図９に示すように、サーバ１に設けられた保持ピン５は細径の首部５ａを有し、円盤形状をした突起体であり、案内溝７がこの首部５ａと係合し、先端拡径部がサーバ保持バー３内部に入り込むことで抜け落ちないよう形成されている。そして、スライドバー４の摺動枠体４ｂは、保持バー本体３ａと調節部材３ｂとで形成される収納空間に収納される。尚、図９において、１５ａ、１５ｂはスペーサである。
【００１４】
このように構成されたサーバマウント構造の操作手順及び作用は以下のようである。まず、ラックへのサーバ保持バー３の組み付けは、前後の支柱２，２の間隔に合わせて調節部材３ｂの突出量を調節しながら前後の連結片１０，１１を支柱に連結操作する。この操作で、突起１０ａ，１１ａが支柱２の透孔２ａに挿入され、前後の連結片１０，１１がそれぞれの支柱２，２に係止する。尚、このとき左右のサーバ保持バー３，３が同一の高さで且つ水平になるよう注意する。係止後は、調節部材３ｂと保持バー本体３ａとをボルト９ａ及びナット９ｂでねじ止め固定する。
【００１５】
こうしてラックに組み付けられた左右一対のサーバ保持バー３へのサーバ１の収納操作は、次のようである。
サーバ１をラック挿入部位の前方に配置し、後方へ即ち一対のサーバ保持バー３，３の間へスライドさせてサーバ１の挿入操作は行われる。このとき、左右の保持ピン５，５を順次サーバ保持バー３の挿入案内部８に挿入し、案内溝７に係合させて挿入を続ける。この操作で、保持ピン５の先端の拡径部がサーバ保持バー３の内部に入り込み、案内溝７から抜けることがなく、サーバー１は案内溝７に案内されて後方にスムーズにスライドする。
このスライド操作で、最初に挿入したサーバ１後方の保持ピン５が、図７（ｂ）に示すように案内溝７後端部に当接したらサーバ１の収納操作は終了し、前後２個の保持ピン５，５は案内溝７に収容されると共に、サーバ１がラックに収納される。収納後は、サーバ１に設けられたローレットビス６を連結片１０に螺着させることで、サーバ１はラックに固定される。
【００１６】
このように、サーバ左右に設けられた係合手段としての保持ピンを案内溝に係合させることでサーバはラックに収納できる。そして、サーバの収納操作は、前方からラック収納部にスライド操作するだけで収納することができる。よって、スライドバーにサーバを連結するねじ止め等の作業を必要とせず簡易な操作で収納することができる。
また、サーバ保持バーは調節部材により長さが調節できるため、異なる大きさのラックに装着できるので利便性が良いし、ローレットビスを螺着する簡易な操作で収納したサーバを固定できる。
【００１７】
次に、収納されたサーバ１を前方へスライドさせて、その状態を維持させる操作を説明する。収納されているサーバ１は、ローレットビス６による固定を解除することでスライドさせて引き出すことが可能となる。このとき、まず図１に示す程度、即ち前後に２個設けられた保持ピン５，５のうち前方に設けられた保持ピン５が露出する程度引き出して一旦止める。そして、この状態を片手で支えながら他方の手でスライドバー４を引き出す。スライドバー４の引き出しは、サーバ保持バー３先端部の挿入案内部８からスライドバー４の先端部を摘んで引き出すことができる。
【００１８】
こうして左右のスライドバー４，４を引き出したら、先端に形成された凹部１４に、露出している左右前側の保持ピン５，５を係合させてスライドバー４上にサーバ１を載置する。この状態が図１に示す状態となる。その後は、サーバ１を引き出すことでスライドバー４も連動して引き出される。
この引き出し操作により、後部の保持ピン５が露出する段階では、図２に示すようにサーバの後方を持ち上げた状態とし、スライドバー４の対応する凹部１４に落とし込み操作する。こうしてスライドして引き出されたサーバ１は、前後の保持ピン５，５がスライドバー４に係合し、安定した状態で載置される。このとき、スライドバー４は図７（ａ）に示すように、先端部に移動した摺動枠体４ｂが引き続き保持バー本体３ａに保持されて、水平な状態を維持する。尚、この状態はサーバ１がスライドバー４に載置されているだけの状態であるため、サーバ１全体を持ち上げれば容易に取り外すことができる。
【００１９】
このように、前方へスライドさせたサーバは、引き出したスライドバーに載置することができ、合わせて引き出したスライドバーの凹部に保持ピンが係合するので、その状態を維持できる。そして、引き出したスライドバーは水平状態を維持するので、サーバは水平な状態で保持され、メンテナンス等の作業がし易い。
【００２０】
尚、上記実施形態は、サーバ保持バー３の長さを変更可能としているが、長さ固定としても良い。また、ラックの支柱２との連結を、突起１０ａ，１１ａを支柱２の透孔２ａに係止させて実施しているが、ねじ止めして連結しても良い。
更に、保持ピン５を細径の首部を備えた円盤形状としたが、首部に回転可能なリングを設けて、摺動が一層滑らかに行われるようにしても良いし、逆に先端を下方に折り曲げただけのＬ字形状としても良い。
【図面の簡単な説明】
【００２１】
【図１】本発明に係るラックのサーバマウント構造の一例を示す要部斜視図で、サーバを途中まで引き出した状態を示している。
【図２】図１の状態からサーバを更に引き出した状態を示す要部斜視図であり、サーバ後方を僅かに持ち上げた状態を示している。
【図３】図１のサーバを完全に収納した状態を示す要部斜視図である。
【図４】図１のＡ部拡大図である。
【図５】図１のＢ部拡大図である。
【図６】サーバ保持バーの斜視図である。
【図７】サーバ保持バーの側面図であり、（ａ）はスライドバーを引き出した状態、（ｂ）はスライドバーを収納した状態を示している。
【図８】スライドバーの斜視図である。
【図９】サーバとサーバ保持バーの係合関係を示す断面説明図である。
【符号の説明】
【００２２】
１・・サーバ、３・・サーバ保持バー、３ａ・・保持バー本体、３ｂ・・調節部材、４・・スライドバー、５・・保持ピン（係合手段）、７・・案内溝、１４・・凹部（係合凹部）。
【図１】
2009289173.tif 000003
【図２】
2009289173.tif 000004
【図３】
2009289173.tif 000005
【図４】
2009289173.tif 000006
【図５】
2009289173.tif 000007
【図６】
2009289173.tif 000008
【図７】
2009289173.tif 000009
【図８】
2009289173.tif 000010
【図９】
2009289173.tif 000011